(57)【要約】      （修正有）【課題】千差万別な使用者の鼻部の条件（顔面における鼻部の位置や大きさ）に対応して顔面へのシートの密着性を向上させることができる美容マスクシートを提供する。【解決手段】上半部と下半部とに分割された中の上半部の美容マスクシート１において、該上半部が、額部と鼻部とを各々被覆するように額部シート２と鼻部シート３とに分割され、前記鼻部シートが、その下端縁に複数の切込み３１を設けた構成であることを特徴として美容マスクシートを構成する。【選択図】図１
0003162046.tif 000002
【実用新案登録請求の範囲】
【請求項１】
上半部と下半部とに分割された中の上半部の美容マスクシートにおいて、
該上半部が、額部と鼻部とを各々被覆するように額部シートと鼻部シートとに分割され、
前記鼻部シートが、その下端縁に複数の切込みを設けた構成であることを特徴とする美容マスクシート。
【請求項２】
前記上半部の美容マスクシートに下半部の美容マスクシートが付加されており、
該下半部が、少なくとも頬部・鼻部周囲・口部周囲を被覆する構成であると共に、鼻部を被覆した前記鼻部シートの周縁を押圧した状態で被覆可能となるように、鼻部位置に縁部を残して透孔を設けた構成であることを特徴とする請求項１に記載の美容マスクシート。
【請求項３】
鼻部シートで鼻部を被覆した後に下半部シートで顔面の下半部を被覆して使用する構成であることを特徴とする請求項２に記載の美容マスクシート。
【請求項４】
額部を被覆する上半部の額部シートの下端縁と下半部シートの上端縁との間隙が眼部の開口部となる構成であることを特徴とする請求項２又は３に記載の美容マスクシート。
【請求項５】
美容液の如き化粧水を含浸させて使用する構成であることを特徴とする請求項１〜４のいずれかに記載の美容マスクシート。
【考案の詳細な説明】
【技術分野】
【０００１】
本考案は美容マスクシートに関し、詳しくは（女性の）顔面部分に使用するパックシートに関する。
【背景技術】
【０００２】
美容マスクシートは、美容液等の化粧水を浸透させたシートを顔面の肌に密着状態となるように貼り付けることで、顔面等の肌の美容効果を得るものである。
【０００３】
シートは顔面の形や凹凸等に対応するように、目・口の部分に開口を設け、顔の輪郭と略一致する形状に形成されている（例えば、特許文献１〜３等参照）。
【０００４】
【特許文献１】特開２００９−２４０７８８
【特許文献２】特開２００３−０００３４１
【特許文献３】特開平１１−２５３２３０
【考案の開示】
【考案が解決しようとする課題】
【０００５】
特許文献１〜３の技術では、顔面から隆起する鼻部や該鼻部の周囲におけるシートの密着不良を抑制するために、シートの鼻部に相当する部分に切込みが設けられた構成となっている。
【０００６】
しかし、使用者によって顔面における鼻の位置や大きさ（鼻梁の長短・鼻の高低・鼻幅の狭広等の相違）は千差万別であるため、特許文献１〜３のように一定位置に鼻部の切込みが設けられたものでは、額部と鼻部のいずれか一方に合わせると他方が合わない場合があり、汎用性に欠けるという問題点を有している。
【０００７】
そこで本考案の課題は、千差万別な使用者の鼻部の条件（顔面における鼻部の位置や大きさ）に対応して顔面へのシートの密着性を向上させることができる美容マスクシートを提供することにある。
【課題を解決するための手段】
【０００８】
上記課題を解決する本考案は下記構成を有する。
【０００９】
１．上半部と下半部とに分割された中の上半部の美容マスクシートにおいて、
該上半部が、額部と鼻部とを各々被覆するように額部シートと鼻部シートとに分割され、
前記鼻部シートが、その下端縁に複数の切込みを設けた構成であることを特徴とする美容マスクシート。
【００１０】
２．前記上半部の美容マスクシートに下半部の美容マスクシートが付加されており、
該下半部が、少なくとも頬部・鼻部周囲・口部周囲を被覆する構成であると共に、鼻部を被覆した前記鼻部シートの周縁を押圧した状態で被覆可能となるように、鼻部位置に縁部を残して透孔を設けた構成であることを特徴とする上記１に記載の美容マスクシート。
【００１１】
３．鼻部シートで鼻部を被覆した後に下半部シートで顔面の下半部を被覆して使用する構成であることを特徴とする上記２に記載の美容マスクシート。
【００１２】
４．額部を被覆する上半部の額部シートの下端縁と下半部シートの上端縁との間隙が眼部の開口部となる構成であることを特徴とする上記２又は３に記載の美容マスクシート。
【００１３】
５．美容液の如き化粧水を含浸させて使用する構成であることを特徴とする上記１〜４のいずれかに記載の美容マスクシート。
【考案の効果】
【００１４】
請求項１に示す考案によれば、千差万別な使用者の鼻部の条件（顔面における鼻部の位置や大きさ）に対応して顔面へのシートの密着性を向上させることができる美容マスクシートを提供することができる。
【００１５】
特に、額部と鼻部とを被覆するシートを分割したことにより、額部と鼻部の各々を独立してシートを被覆密着させることができるので、使用者によって顔面における鼻の位置や大きさ（鼻梁の長短・鼻の高低・鼻幅の狭広等の相違）が異なる場合であっても、額部と鼻部の各々に分割したシートの各々を位置合わせして被覆密着させることで汎用性を向上することができる。
【００１６】
請求項２に示す考案によれば、下半部のマスクシートが付加されたことにより、額部と鼻部だけでなく、顔面の下半部である頬部・鼻部周囲・口部周囲も併せて被覆密着させることができる。
更に、下半部のマスクシートには、鼻部シートの周縁を押圧した状態で被覆可能となる透孔が設けられていることにより、鼻部シートの鼻部からの浮き防止や鼻部周囲の密着性をより向上させることができる。
【００１７】
請求項３に示す考案によれば、顔面に対して鼻部シートを先に被覆密着させた後に下半部シートを被覆密着させることにより、下半部シートの鼻位置に設けられた透孔の縁部が鼻部シートの周縁をより確実に押圧することで前記鼻部シートの鼻部からの浮き防止や鼻部周囲の密着性を更に向上させることができる。
【００１８】
請求項４に示す考案によれば、上半部の額部シートの下端縁を眼部の上部（眉上部）に合わせ、下半部シートの上端縁を眼部の下部に合わせることで、眼部の開口部を使用者の顔面状況に合わせて調整することができる。
【００１９】
請求項５に示す考案によれば、使用者の肌特性に応じた美容液の如き化粧水を選択して含浸させることで、使用者の望む美容効果を得ることができる。
【図面の簡単な説明】
【００２０】
【図１】本考案に係る美容マスクシートの第１実施例を示す平面図
【図２】図１の美容マスクシートを顔面に貼り付ける状態を説明する拡散斜視図
【図３】本考案に係る美容マスクシートの第２実施例を示す平面図
【図４】図３の美容マスクシートを顔面に貼り付ける状態を説明する拡散斜視図
【考案を実施するための最良の形態】
【００２１】
次に、添付の図面に従って本考案を詳細に説明する。
【００２２】
先ず、図１及び図２に基づき、本考案に係る美容マスクシートの第１実施例について説明する。
【００２３】
図１に示すように、本考案の第１実施例である美容マスクシート１は、上半部と下半部（図３及び図４に示す符号４）とに分割された中の上半部のみから成る美容マスクシート１であり、該上半部は、額部と鼻部とを各々被覆するように額部シート２と鼻部シート３とに分割され、鼻部シート３が、その下端縁に複数の切込み３１を設けた構成である。
【００２４】
鼻部シート３の下端縁に設けられた複数の切込み３１は、鼻頂部（鼻尖）の丸みにシートが沿って馴染むように形成されたもので該切込み３１の数は本実施例では５本であるが、２〜１０本程度の範囲内で適宜設定されることが好ましく、またその切込み長さについても３〜１５ｍｍ程度の範囲内で適宜設定されることが好ましい。
【００２５】
また、鼻根の部分に設けられた切込み３２は、眉間と鼻梁との接続部である鼻根の湾曲形状に鼻部シート３が馴染み易いように設けられている。
【００２６】
額部シート２は、左右のこめかみ間の髪の生え際から眉の上部までの範囲の額部の略全域を被覆するように構成されており、その下端縁２１は眉上部に沿う曲線で形成されていることが好ましい。
【００２７】
また額部シート２の下端縁２１の中央部分には、眉間を被覆できるように下方に突出した形状となる眉間被覆部２２を設けることが好ましい。
【００２８】
以上の構成を有する額部シート２と鼻部シート３とを有して成る上半部の美容マスクシート１は、この種の美容マスクシートとして公知公用の材質で形成されることが好ましく、具体的には不織布で形成されることが好ましく、中でも吸液性に秀でた長繊維不織布で形成されることがより好ましい。
【００２９】
また、美容マスクシート１は、使用に際し、美容液の如き化粧水を含浸させる乾燥タイプであることが好ましいが、美容液の如き化粧水が予め含浸された含浸済タイプであってもよい。
【００３０】
乾燥タイプの場合、使用者の肌特性に応じた美容液の如き化粧水を選択して含浸させることで、使用者の望む美容効果を得ることができる。
【００３１】
上記した本考案に係る第１実施例の美容マスクシート１の使用方法としては、乾燥タイプの場合は先ず美容マスクシート１に美容液の如き化粧水を含浸させた後、図２に示すように、鼻部に鼻部シート３を貼り付け｛図２の（Ａ）参照｝、顔面の額部に額部シート２を貼り付け｛図２の（Ｂ）参照｝ることで、額部と鼻部の各々を別個に独立して美容マスクシートを被覆密着させる｛図２の（Ｃ）参照｝ことができるので、使用者によって顔面における鼻の位置や大きさ（鼻梁の長短・鼻の高低・鼻幅の狭広等の相違）が異なる場合であっても対応することができる。尚、図２の（Ａ）において、符号３Ａは鼻部シート３によって被覆される部分を示し、図２の（Ｂ）において符号２Ａは額部シート２によって被覆される部分を示す。
【００３２】
尚、第１実施例の美容マスクシート１の使用に際しては、上記実施例では鼻部シート３を先に貼り付けたが、貼り付ける順番は任意であり、額部シート２を先に貼り付けてもよい。
【００３３】
次に、図３及び図４に基づき、本考案に係る美容マスクシートの第２実施例について説明する。
【００３４】
図３に示すように、本考案の第２実施例である美容マスクシート１０は、上記した第１実施例に示した上半部のみから成る美容マスクシート１に、下半部の美容マスクシートである下半部シート４を付加して構成されるものである。尚、額部シート２と鼻部シート３とを有して成る上半部の美容マスクシート１の基本的構成は上記した第１実施例と同様であるため以下説明を省略する。
【００３５】
下半部シート４は、顔面の下半部である頬部・鼻部周囲・口部周囲を被覆することで当該部分を密着被覆することができる。即ち、上半部からなる成る美容マスクシート１に下半部シート４を付加することによって顔面の略全域である額部・鼻部・頬部・鼻部周囲口部周囲を被覆することができる。
【００３６】
下半部シート４には、鼻部に位置する部分に鼻部透孔４１が形成されており、該鼻部透孔４１は、鼻部を被覆した前記鼻部シート３の周縁を押圧した状態で被覆可能となるように、縁部を残して形成される透孔を設けた構成となっている。鼻部透孔４１を設けることにより、鼻部シート３の鼻部からの浮き防止や鼻部周囲の密着性をより向上させることができる。
【００３７】
また下半部シート４には、その上端縁４２が頬部の上部である眼部の下部に沿うように曲線で形成されている。この上端縁４２と前記額部シート２の下端縁２１との間隙が眼部の開口部となる構成である。
【００３８】
下半部シート４の上端縁４２は、曲線で形成されているだけでなく、頬部の膨らみに該下半部シート４が馴染むように上端縁４２に複数の切込み４３が設けられている。該切込み４３の数は本実施例では左右で２本ずつの計４本であるが、左右で１本ずつ〜５本程度、即ち、計２本〜１０本程度の範囲内で適宜設定されることが好ましく、またその切込み長さについても３〜１５ｍｍ程度の範囲内で適宜設定されることが好ましい。
【００３９】
下端部シート４の上端縁４２の中央部分には、鼻根部分を被覆できるように上方に突出した形状となる鼻根被覆部４４を設けることが好ましい。
【００４０】
更に下半部シート４には、呼吸を確保するために口部の開口となる口部透孔４５が形成されており、該口部透孔４５の周縁には、人によって異なる口の大きさや呼吸時の口の開閉具合に対応できるように切込み４６が設けられていることが好ましい。
【００４１】
更にまた下半部シート４の下端縁には、頬下から顎にかけての曲面に馴染むように切込み４７が設けられていることが好ましい。切込み４７は、顔の大きさや頬の膨らみ等、人によって大きく異なる部分に対応できるように上記した他の切込み３１・４３・４６よりも長い５〜２５ｍｍ程度の範囲内で設定されることが好ましい。
【００４２】
以上の構成を有する下半部シート４は、上記した上半部シートのみから成る第１実施例の美容マスクシート１に付加されることで顔面の略全域を被覆する第２実施例の美容マスクシート１０となるものであり、上記した額部シート２及び鼻部シート３と同様の材質で形成されることが好ましい。
【００４３】
また、美容液の如き化粧水を含浸させる乾燥タイプであるか美容液の如き化粧水が予め含浸された含浸済タイプであるかについても付加される額部シート２及び鼻部シート３と同様の構成とすることが好ましい。
【００４４】
上記した本考案に係る第２実施例の美容マスクシート１０の使用方法としては、乾燥タイプの場合は先ず美容マスクシート１０に美容液の如き化粧水を含浸させた後、先ず、図２に示すように、鼻部に鼻部シート３を貼り付け｛図２の（Ａ）参照｝、顔面の額部に額部シート２を貼り付け｛図２の（Ｂ）参照｝ることで上半部の美容マスクシート１を貼り付けた後、図４に示すように、下半部シート４をを貼り付ける｛図４の（Ｃ）参照｝ことで、額部と鼻部と顔面の下半部（頬部・鼻部周囲・口部周囲）の各々を別個に独立して美容マスクシートを被覆密着させる｛図４の（Ｄ）参照｝ことができるので、使用者によって顔面における鼻の位置や大きさ（鼻梁の長短・鼻の高低・鼻幅の狭広等の相違）が異なる場合であっても対応することができる。尚、図４の（Ｃ）において、符号４Ａは下半部シート４によって被覆される部分を示す。
【００４５】
尚、第２実施例の美容マスクシート１０の使用に際しては、下半部シート４の鼻部透孔４１によって鼻部シート３の周縁を押圧した状態とするために下半部シート４の貼り付けは鼻部シート３を貼り付けた後に行うことが必須である。
【符号の説明】
【００４６】
１  美容マスクシート（第１実施例）
１０  美容マスクシート（第２実施例）
２  額部シート
２Ａ  額部シートの被覆部分
２１  下端縁
２２  眉間被覆部
３  鼻部シート
３Ａ  鼻部シートの被覆部分
３１  切込み
３２  切込み
４  下半部シート
４Ａ  下半部シートの被覆部分
４１  鼻部透孔
４２  上端縁
４３  切込み
４４  鼻根被覆部
４５  口部透孔
４６  切込み
４７  切込み
【図１】
0003162046.tif 000003
【図２】
0003162046.tif 000004
【図３】
0003162046.tif 000005
【図４】
0003162046.tif 000006